(57)【特許請求の範囲】
【請求項１】
地山、造成地、崩落斜面等の法面(1)に種子混在の客土吹付工を行い、その客土吹付工により形成された生育基盤層(2)に、植物の毛細根に似た極細ポリエステル短繊維1m2当たり３５g目付量で、ランダム配向に不織布加工して成るウェブ(4)に比較的網目が大きく且つ軽量のポリエステル製ラッセルネット(5)を重ねた後に生育基盤層(2)に張り付けて前記生育基盤層の表面を被覆することを特徴とする法面浸食防止マルチを用いた緑化工法。
【発明の詳細な説明】
【０００１】
【産業上の利用分野】
本発明は法面浸食防止マルチを用いた緑化工法及びその緑化法面に関するもので、吹付工事後の種子混在生育基盤層の表面に特殊マット状物を張設して覆蔽するだけの簡単な施工によって豪雨や強風或いは凍上や旱魃被害等から生育基盤を確実に保護し、より安定した緑化工法を実現することを目的とする。
【０００２】
【従来の技術】
本出願人は多年に亘り、法面緑化工法の改良の研究開発を重ねてきた。その結果、リサイクル緑化基盤の製造に関するもの（特許第２０６２２２１号、特許第２５４２５２５号、特許第２０００６１１号と特許第１７６２１７２号等）を提供した。さらに、本出願人は、ＰＭＣ工法と称する、リサイクル緑化工法を開発した。その内容は、緑化基盤材にピーエム材（＝登録商標、指定商品：飛び粉肥料）をコーティング肥料を配合した客土（＝生育基盤材）をモルタル吹付機に投入してコンプレッサの圧搾空気で搬送し、吹付ホース先端のノズル噴射時に水と混合しながら法面に所定の厚さで吹付ける。
その後、吹付けた生育基盤層の表面に、種子・養生材付きネットを張り付ける。すなわち、生育基盤保護のネット体と植物の発芽促進との養生材に種子を組み合わせてたことによって、▲１▼  ネット体と養生材で種子を保護しており、発芽・生育を促進すると共に、年間を通じて安定した施工が可能となる。▲２▼  ネット体の被覆で雨滴や表面流下水から生育基盤と種子の流亡を防止する。▲３▼  ネット体の被覆で凍結融解から生育基盤の滑落を防止する。以上のような機能を有している。
【０００３】
これによって、緑化を必要とする法面、崩落斜面、造成地、硬岩荒れ地等の地山表面に草本類の繁茂による緑化が得られ、特に公共地の観光地などの景観保全や修景に貢献している。ところが、本出願人の緑化工法においても、工事コストの縮減対策の必要により、なお技術的な改良を要求されているのが現状である。本出願人の特許をはじめ、関連する在来の緑化工法に共通して次のような課題が考えられる。
▲１▼  生育基盤の吹付施工中の突然の降雨や集中豪雨或いは冬期の凍上融解作用の激しいときは、緑化ネット下の生育基盤材が動いて流出したり崩落すると、手直しを必要とし、その都度工事費が追加される。しかも、雨水で流出した基盤材には、微生物等で分解された富栄養物質や有機質堆肥が含まれている。そのため、当該基盤材が河川や湖沼のほか地下水（井戸水を含む）に流れ込むと、その河川、湖沼、地下水を汚染する。
▲２▼  生育基盤層の施工法面の傾斜が急な個所や石礫を含んだ個所及び霜柱が発生する個所、すなわち具体的には傾斜角度が４５度以上、或いは風化や亀裂の多い岩盤、寒冷地等であり、このような法面では、吹付け前に別途に金網（標準的にはラスとし、亜鉛メッキ鉄線径２．０ｍｍ、網目５０．０ｍｍ程度）を張り巡らせて生育基盤材を強固に固定する必要が生じる。（例えば、実用新案登録第１５９２２４２号「実公昭５９−３００６１号」）。因みに、前記の金網張り工は、生育基盤層の強化が図れるが、一方では、緑化工法のコストアップにつながると共に、金網が将来の植生の十分な成長の妨げとなる恐れがあった。例えば、木本植物根や幹部を締め付け強風時に倒木したり、万一の災害による崩落の場合は金網により被災面積が拡大してしまう。
▲３▼  夏期の乾燥時期の施工では、生育基盤材では乾燥してしまい、植物の発芽や生育が十分ではなく、潅水や追播作業が必要となる
▲４▼  高密度急速緑化工法は、生長の早い外来草本植物を主体にし、基盤の安定に使用する金網類や緑化効果を早期に発揮させるために高度化肥料の多用傾向があり、結果として周辺環境への不調和や栄養塩類の溶脱により、富栄養化の原因に繋がり、河川、湖沼、地下水の汚染など水質に及ぼす悪影響が環境保全の面で問題化している。
【０００４】
【課題を解決するための手段】
そこで、本発明は上記従来の課題を解決し、発明の目的を達成するために提供するものである。
【０００５】
本発明の第１は、法面浸食防止マルチを用いた緑化工法において、地山、造成地、崩落斜面等の法面に種子混在の客土吹付工を行い、その客土吹付工により形成された生育基盤層に、植物の毛細根に似た極細ポリエステル短繊維をランダム配向に不織布加工して成るウエブに化学繊維製ラッセルネットに重ねた後に張り付けて前記生育基盤層の表面を被覆するものである。
【０００６】
本発明の第２は、法面浸食防止マルチを用いた緑化法面において、地山、造成地、崩落斜面等の法面に種子が混在している生育基盤層が施工され、且つその生育基盤層の表面に、植物の毛細根に似た極細ポリエステル短繊維をランダム配向に不織布加工したウエブと、そのウエブに化学繊維製ラッセルネットを重ねて成るマルチを敷設して前記生育基盤層が被覆されているものである。
【０００７】
【実施例】
次に本発明の実施例を図面を以て説明する。図において、１は法面、２は植物の生育基盤層であり、コンニャクの飛び粉肥料（登録商標：ピーエムザイ）とコーティング肥料及び種子を加えて基盤材を作り、モルタル吹付機械を用いて、そのノズル噴射時に水を混合ながら法面に所定の厚さになるように吹付施工して形成する。３はマルチ「（Ｍｕｌｃｈ）」であり、比較的薄いマット状を成すウエブ（Ｗｅｂ＝織物、クモの巣状のもの）４とラッセルネット５から成っている。前記のウエブ４は植物の毛細根に似た極細ポリエステル短繊維１平方メートル当たり３５ｇ目付量で、ランダム配向に不織布加工してある。また、ラッセルネット５は、網目が比較的大きく且つ軽量のポリエチレン繊維から成り、これに前記ウエブを重ねて装着されるようになっている。このラッセルネットの大きさは、前記ウエブと同形にしておくものとする。そして、前記のマルチ３は、木本の根を保護するために根覆いをする、根囲いをする機能とフィルタ（Ｆｉｌｔｅｒ＝濾過器で濾過する、漉し器で漉す）機能を有しているものである。６は前記のマルチ３の表面から法面１に打ち込むためのアンカーピン、７は生育基盤層２に混在する草本並びに木本植物の種子である。
【０００８】
【具体的な使用例】
上記の実施例に基づく具体的な工事例を説明する。すなわち、地山の法面1や造成地、崩落斜面等表層に、種子7が混在している生育基盤材とピーエムザイとコーティング肥料を配合した客土をモルタ吹付様に投入してコンプレッサの圧搾空気で搬送し、吹付ホース先端のノズル噴射時に水と混合しながら法面1に所定の厚さで吹付ける。そして、客土吹付工により形成された生育基盤層2に、植物の毛細根に似た極細ポリエステル短繊維をランダム配向に不織布加工して成るウェブ4に比較的網目が大きく且つ軽量のポリエステル製ラッセルネット5をあらかじめ幅1．Om、長さ25．Om〜50．Omの範囲で設定の寸法に裁断して重ねた後に生育基盤層2に張り付けて前記生育基盤層の表面を被覆する。そして、生育基盤層2に混在している種子7が発芽した草本並びに／又は木本植物は、ウェブ4の空隙及びラッセルネット5の網目から表面に伸芽して生育する。
【０００９】
【発明の効果】
本発明は上記の構成であるから、緑化工事において、工事の直後に降雨があった場合、施工面に当たった雨水はウエブの厚さ内において、フィルタ機能によって排水されると共に、根覆いや根囲い機能によって生育基盤層は雨水による浸食を防止する。また、強風が施工面に当たってもマルチのフィルタ機能によって、そのウエブ内を通って通過する。さらに、根覆いや根囲い機能によって生育基盤面の種子等が吹き飛ばされたりして流失するようなことがない。そして、冬期の凍結融解によってもマルチが有する保温効果が保持されることによって生育基盤の崩落等が防止される。しかも、前記マルチによって、豪雨時の雨滴衝撃を緩和し、マルチ表面流水の流速を低減すると共に、基盤材の移動を防止し、乱流や集中流による浸食が防げる。
また、豪雨による大量の雨が浸透した基盤材は、ある程度の雨水量は含有するが、飽和状態の雨水は余剰雨水となって、マルチ内部ないしはマルチ表面に沿って流水するので、微生物等で分解された富栄養物質、有機質堆肥成分を当該マルチで捕捉して基盤材の移動を押さえて流失を防止し、純化した流水だけがフィルタを透過して河川、湖沼、地下水に流れ込む。因って、当該河川、湖沼、地下水等の汚染が防止される。
さらに、従来工法の強化としては、▲１▼  吹付け施工直後や連続する長雨による柔らかな状態の生育基盤の状態での降雨による生育基盤材の流失が防止できる。▲２▼  不意の豪雨災害時の雨水流による生育基盤の流失やその後の法面自体の崩落が防げる。▲３▼  保温効果により冬期の凍結融解作用が軽減し、生育基盤材の霜崩れが防げる。▲４▼  旱魃による急激な水分の蒸発散を防ぎ、水分を保持し、生育基盤材の乾燥を抑えるため植物の発芽や生育が確実となる。以上の利点や強化機能は、植物が活着した後も継続し、法面自体の安全はさらに向上する。次に、金網（ラス）張り工が省略できる結果については、▲１▼  金網（ラス）張り作業が省けるので施工が容易で工期が短縮される。▲２▼  コストの縮減が図れる。▲３▼  仮に、礫、風化岩等の崩落が万一発生した場合には、局部的な破損に止まり、被災面積を最小限に抑えることが可能になる。▲４▼  草本並びに又は木本植物の根や幹部が十分に成長でき、強風時で倒木することがなくなる。以上のような効果が得られるものである。
【図面の簡単な説明】
【図１】本発明に係る法面浸食防止マルチを用いた緑化法面工法及びその緑化法面の縦断面図である。
【図２】化学繊維ラッセルネットに装着したウエブの斜視図である
【図３】ウエブを装着した化学繊維製ラッセルネットを法面に吹付けた生育基盤層表面に張設した状態の斜面図である。
【符号の説明】
１……法面
２……生育基盤層
３……マルチ
４……ウエブ
５……ポリエチレン繊維のラッセルネット
６……アンカーピン
７……生育基盤層に混在している草本並びに／又は木本植物の種子
【図１】
0003623890.tif 000002
【図２】
0003623890.tif 000003
【図３】
0003623890.tif 000004